(57)【要約】      （修正有）【課題】台車の構造や大きさに係わらず荷物を確実にカバーすることができる手押し台車用カバーを提供する。【解決手段】荷物を載せる積載部２と、積載部２よりも上側に延在する把持部３とを有する手押し台車１に取り付けられ、荷物の上側を覆うための手押し台車用カバー１０であって、荷物の上側を覆うためのロールシート１１を巻いた状態で収容し、把持部３の上側に間隔を空けて手押し台車カバー１０を取り付ける。また、積載部２の前側に着脱可能に取り付ける。【選択図】図１
0003222725.tif 000002
【実用新案登録請求の範囲】
【請求項１】
荷物を載せる積載部と、前記積載部よりも上側に延在する把持部とを有する手押し台車に取り付けられ、前記荷物の上側を覆うための手押し台車用カバーであって、
前記荷物の上側を覆うためのロールシートを巻いた状態で収容し、前記把持部の上側に間隔を空けて取り付けたことを特徴とする手押し台車用カバー。
【請求項２】
前記ロールシートを下側に向けて引き出すように構成したことを特徴とする請求項１に記載の手押し台車用カバー。
【請求項３】
前記ロールシートの先端部分に、幅方向に延びる固定紐を設け、前記固定紐の両端部にフック部材をそれぞれ取り付けたことを特徴とする請求項１または請求項２に記載の手押し台車用カバー。
【請求項４】
荷物を載せる積載部と、前記積載部よりも上側に延在する把持部とを有する手押し台車に取り付けられ、前記荷物の上側を覆うための手押し台車用カバーであって、
前記荷物の上側を覆うためのロールシートを巻いた状態で収容し、前記積載部の前側に着脱可能に取り付けたことを特徴とする手押し台車用カバー。
【請求項５】
前記積載部の前端部に金属製のバンパーを取り付ける一方、前記手押し台車用カバーに前記バンパーに吸着する磁性体を設けたことを特徴とする請求項４に記載の手押し台車用カバー。
【考案の詳細な説明】
【技術分野】
【０００１】
本考案は、手押し台車に取り付け可能なカバーに関するものである。
【背景技術】
【０００２】
従来より、荷物を運搬するための手押し台車が利用されている。この手押し台車は、荷物を載せる積載部と、この積載部の手前側（利用者側）に、利用者の腰の位置まで上側に伸びる把持部とが設けられている。また、積載部分の下側にはキャスターが設けられており、利用者が把持部を掴んで押す方向へと容易に移動させることができるようになっている。
【０００３】
また、手押し台車の積載部を工夫して、積載部を上下に２段以上に構成したもの（例えば、https://ec.line.me/product/2670404672?mpid=2670404672）や、積載部をバスケット（例えば、https://store.shopping.yahoo.co.jp/wakuishop-gardening/smphw-02.html）にしたものなど、種々のものが流通している。
【０００４】
このような手押し台車を使用する場合、荷物が雨に濡れてしまったり、環境が悪い場所では荷物の上に埃が堆積してしまうことがある。そのため、荷物の上側を覆うためのカバーを設ける技術が種々考案されている。
【０００５】
例えば、特許文献1の技術では、かご台車の頂部を覆うようにして取り付けるカバーが開示さている。このかご台車用カバーは、袋状の本体部をコンパクトに折り畳むことができるようすることで、容易に着脱できるものである。
【０００６】
また、特許文献２の技術では、リンク部材で折りたたみ可能な副台座なるものを積載部に構成し、この副台座を起立させることで、荷物の上側および側部をカバーで覆うことができるようにしている。
【先行技術文献】
【特許文献】
【０００７】
【特許文献１】特開２０１８−６２３８６号公報
【特許文献２】特開２００７−１１２４０３号公報
【考案の概要】
【考案が解決しようとする課題】
【０００８】
上述した２つの技術では、積載部に載せる荷物が大きく、積載部の面積を超えてしまう場合（例えば、積載部の前側端部よりも荷物が前側にはみ出すような場合）には、荷物の上部を十分にカバーすることができない。また、積載部が２段構造のものや積載部が大きい台車など、種々の特殊な構造に対応できないことがある。
【０００９】
本考案は、上述した事情を鑑みてなされたものであり、台車の構造や大きさに係わらず荷物を確実にカバーすることができる手押し台車用カバーを提供するためのものである。
【課題を解決するための手段】
【００１０】
上述課題を解決するため、本考案に係る手押し台車用カバーは、荷物を載せる積載部と、前記積載部よりも上側に延在する把持部とを有する手押し台車に取り付けられ、前記荷物の上側を覆うためのものであり、前記荷物の上側を覆うためのロールシートを巻いた状態で収容し、前記把持部の上側に間隔を空けて取り付けたことを特徴とする。
【００１１】
また、前記ロールシートを下側に向けて引き出すように構成することができる。
【００１２】
さらに、前記ロールシートの先端部分に、幅方向に延びる固定紐を設け、前記固定紐の両端部にフック部材をそれぞれ取り付けてもよい。
【００１３】
一方、本考案に係る手押し台車用カバーは、荷物を載せる積載部と、前記積載部よりも上側に延在する把持部とを有する手押し台車に取り付けられ、前記荷物の上側を覆うためのものであり、前記荷物の上側を覆うためのロールシートを巻いた状態で収容し、前記積載部の前側に着脱可能に取り付けたことを特徴とする。
【００１４】
また、前記積載部の前端部に金属製のバンパーを取り付ける一方、前記手押し台車用カバーに前記バンパーに吸着する磁性体を設けるようにしてもよい。
【考案の効果】
【００１５】
本考案による手押し台車用カバーによれば、ロールシートを巻いた状態で収容しているので、ロールシートが嵩張らず、手押し台車用カバー自体をコンパクトに形成することができる。また、把持部の上側に間隔を空けて取り付けているので、様々な構造の手押し台車の把持部に同じようにして取り付けることができるので、利便性が高い。
【００１６】
また、手押し台車用カバーを積載部の前側に着脱可能に取り付けるようにしても、荷物の積載に影響を及ぼさずにコンパクトに取り付けることができる。
【図面の簡単な説明】
【００１７】
【図１】本考案の実施の形態に係る手押し台車用カバーを手押し台車に取り付けた状態を示す全体斜視図である。
【図２】図１の側面図である。
【図３】図２の状態からロールシートを引き出した状態を示す側面図である。
【図４】支柱の側面図であって、各部材を分解して示したものである。
【図５】手押し台車用カバーの側面図であって、（Ａ）は嵌合によって固定する場合を示し、（Ｂ）はマグネットと吸着固定する場合を示したものである。
【図６】ロールシートの先端部を拡大して示す平面図である。
【図７】手押し台車に大きな荷物を載せた状態を示す側面図である。
【図８】本考案の変形例であって、手押し台車用カバーを積載部の前側に取り付けた状態を示す側面図である。
【考案を実施するための形態】
【００１８】
以下、本考案の実施形態に係る手押し台車用カバー１０について、図１、図２を用いて詳細に説明する。図１は、本考案の実施の形態に係る手押し台車用カバー１０を手押し台車１に取り付けた状態を示す全体斜視図である。また、図２は、図１の側面図、図３は、図２の状態からロールシート１１を引き出して荷物Ｗの上側を覆った状態を示している。
なお、本明細書で使用する。前後、上下、左右（幅）の方向は、図１で示す方向（利用者から見た方向）をいうものとする。また、手押し台車の構造は種々のものがあるが、本実施の形態では、一般的な手押し台車１を用いて説明する。
【００１９】
一般的な手押し台車１は、図１〜図３に示すように、荷物Ｗを積載するための上面視略矩形状の積載部２と、この積載部２の後側に配置され、積載部２の上面から利用者の腰の高さ程度まで上側に延びる把持部３と、積載部２の下側の四隅に配置された４つのキャスター４とで構成されている。
【００２０】
この把持部３は、下側が開口する略コ字形状に形成されている。これにより、把持部３の上側部分には、左右方向に延在する棒状の水平部３ａが形成され、利用者はこの水平部３ａを掴んで台車１を前側に押し出すようにして移動させる。
【００２１】
この水平部３ａの上側には、本考案の手押し台車用カバー１０が取り付けられる。より詳細には、手押し台車用カバー１０は、支柱２０を介して上側に間隔Ｔを空けて取り付けられる。この間隔Ｔは、利用者がこの間隔Ｔから手や指を差し入れて水平部３ａを把持するためのものであり、利用者が手押し台車１を押し出す作業の妨げにならない程度のものである。
【００２２】
支柱２０は、図1に示すように、水平部３ａの左右の端部に２つ取取り付けられており、手押し台車用カバー１０は、この一対の支柱２０によって２箇所で支承されている。また、この支柱２０の長さに基づいて上述した間隔Ｔが確保される。
【００２３】
手押し台車用カバー１０は、図１に示すように、左右方向に長尺に形成されており、この手押し台車用カバー１０の内部には、ロールシート１１が収容されている。このロールシート１１の左右方向の長さは、積載部２の左右方向の長さと同等或いはそれ以上の長さに構成されている。
【００２４】
手押し台車用カバー１０は、窓などに用いられている所謂ロールカーテン（ロールスクリーン）とほぼ同じ構造であり、通常状態（使用していない状態）ではロールシート１１が巻かれた状態でその内部に収容されている（図２参照）。すなわち、ロールシート１１は、巻かれた状態になる柔軟性を有するシートであり、荷物Ｗの形状に合わせて曲げられる可撓性を有するものである。
【００２５】
一方、使用するときには、このロールシート１１を前側に引き出して荷物Ｗの上側を覆うようにして固定する（図３参照）。また、このロールシート１１は、ばねの力で巻かれた状態に付勢されており、引き出したロールシート１１から手を離すと、自動的に図２の状態まで巻き戻るようになっている。
【００２６】
ロールシート１１は、図２に示すように、その引き出し方向が前方斜め下側（図２の矢印方向）に向くように構成されている。このように下側に引き出す構造にすることで、上側から落ちてくる雨水等が手押し台車用カバー１０の内部に侵入してこないようにしている。また、ロールシート１１は、雨水等が染み込むことのないように、防水性、撥水性を有する素材、或いはそのようなコーティングを施したものが使用されている。
なお、このロールシート１１の巻き付け構造などは、従来に一般的に用いられている技術であるため、その詳細な説明は省略する。
【００２７】
図４は、支柱２０の側面図であって、各部材を分解して示している。
支柱２０は、水平部３ａを上側および下側から挟み込むための下側半円部材２１および上側半円部材２２と、上側半円部材２２の上側に取り付けられる垂直部材２３とで構成されている。
【００２８】
下側半円部材２１および上側半円部材２２は、水平部３ａの左右方向の任意の位置に配置され、２本の皿ねじ２４を締め込むことによって固定される。この半円状の形状は、水平部３ａの外周面の丸形形状に合わせて形成されており、固定された状態では、半円部材２１、２２の内側面が水平部３ａの外周面を面で狭圧するようになる。このように、下側半円部材２１および上側半円部材２２は、皿ねじ２４を用いて固定することによって、必要に応じて適宜着脱できるようにしている。なお、水平部３ａの断面形状が丸形以外（例えば楕円形など）の場合には、その外周形状に合わせて半円部材２１、２２の形状も適宜変更して対応することができる。
【００２９】
垂直部材２３は、上下方向に延びる棒状の部材であり、その下側に雄ねじ２３ａが形成されている。この雄ねじ２３ａは、上側半円部材２２の上部に設けられた雌ねじ２２ａと螺合することによって取り付けられる。また、垂直部材２３には、その上面から下側に向けて取付用のざぐり穴２３ｂが設けられている。
【００３０】
なお、この垂直部材２３の上下方向の長さを変えることによって、上述した間隔Ｔの長さを変更することができる。また、垂直部材２３の長さを調節可能に構成し、間隔Ｔを自由に調整できるようにしてもよい。
【００３１】
図５（Ａ）は、手押し台車用カバー１０の側面図である。
手押し台車用カバー１０の下側には、左右方向の全長に亘ってスライド溝１０ａが形成されており、このスライド溝１０ａには、側面視で略Ｔ字形状の取付部材１４が取り付けられている。この取付部材１４は、スライド溝１０ａに沿って左右方向の任意の位置まで自由に移動できるようになっている。これにより、支柱２０の取付位置まで自由に左右に移動することができる。
【００３２】
取付部材１４は、スライド溝１０ａ内に入り込むスライド部１４ａと、このスライド部１４ａの下面から下側に延びる嵌合突部１４ｂとで構成されている。この嵌合突部１４ｂは、上述した垂直部材２３のざぐり穴２３ｂ内に挿入され、前後、左右の位置が規制されるようになる。また、この嵌合突部１４ｂは、ざぐり穴２３ｂに挿入しているだけなので、手押し台車用カバー１０を上側に持ち上げるだけで、容易に着脱することができるようになっている。
【００３３】
図６は、ロールシート１１の先端部を拡大して示す平面図である。
ロールシート１１の先端部分は、シート前端を折り返して左右に貫通する袋状に形成されている。この袋状の内部には、固定紐１２ａが挿通されている。また、この固定紐１２ａの左右の両端部には、この固定紐１２ａを引っ掛けるためのフック部材１２ｂがそれぞれ設けられている。このフック部材１２ｂは、例えばカラビナのような市販のものを利用することができる。これにより、ロールシート１１を引き出して、フック部材１２ｂを積載部２の下側の突起や縁部に引っ掛けることによって、ロールシート１１が固定される。また、固定紐１２ａ、フック部材１２ｂは、図２に示すように、手押し台車カバー１０の本体から外側に突出させることで、ロールシート１１を前側へ引き出し易くしている。
【００３４】
次に、本実施の形態に係る手押し台車用カバー１０の作用について説明する。
手押し台車１の構造としては、積載部２の構造が工夫されるなどの種々のものがある。また、将来的には、様々な工夫がなされた台車が開発されることが予測される。しかしながら、利用者が台車を手で押すという機能上、利用者の腰の高さの位置に必ず把持部３（水平部３ａ）が設けられる必要がある。そのため、この把持部３に手押し台車用カバー１０を取り付けるようにすることで、構造の異なる様々な手押し台車に対して広く利用することができる。
【００３５】
また、手押し台車１には、許容荷重の範囲内で様々な荷物が載せられて運搬される。このとき、図７に示すように、荷物Ｗ１の上にさらに荷物Ｗ２を積み重ねることで全体の高さが高くなってしまったとしても、引き出したロールシート１１をさらに上側に覆い被せるようにすることで、確実に荷物Ｗ１、Ｗ２を雨等からカバーすることができる。
【００３６】
また、図７に示すように、荷物Ｗ１、Ｗ２の前後方向が長くなり、荷物Ｗ１、Ｗ２が積載部２の前端よりも前側にはみ出してしまう場合であっても、ロールシート１１をさらに前側に引き出すことによって、荷物Ｗ１、Ｗ２の前側部分を確実にカバーすることができる。このように、手押し台車用カバー１０は、積載部２に載せる荷物Ｗ１、Ｗ２の大きさや積載高さのばらつきに柔軟に対応することができる。
【００３７】
本考案の手押し台車用カバー１０では、ロールシート１１を巻いた状態で収容しているので、ロールシート１１が嵩張らず、手押し台車用カバー１０自体をコンパクトに形成することができる。また、把持部３（水平部３ａ）の上側に間隔Ｔを空けて取り付けているので、様々な構造の手押し台車の把持部に同じようにして取り付けることができるので、利便性が高い。さらには、間隔Ｔを空けているので、利用者が把持部３を掴む動作の妨げにならない。
【００３８】
また、ロールシート１１を下側に向けて引き出すように構成しているので、手押し台車用カバー１０の内部に雨水や塵埃が入り込む可能性が低くなる。
【００３９】
さらに、ロールシート１１の先端部分に、幅方向に延びる固定紐１２ａを設け、固定紐１２ａの両端部にフック部材１２ｂをそれぞれ取り付けているので、フック部材１２ｂを積載部２の下面の突起などに引っ掛けることで、ロールシート１１を引き出した状態で容易に固定することができる。
【００４０】
以上、本考案の実施形態に係る手押し台車用カバー１０について述べたが、本考案は既述の実施形態に限定されるものではなく、本考案の技術思想に基づいて各種の変形および変更が可能である。
例えば、本実施の形態では、手押し台車用カバー１０を把持部３の上側に配置しているが、図８に示すように、積載部２の前側部分（前側縁部）に取り付けるようにしてもよい。このとき、手押し台車用カバー１０の上端が、積載部２の上面より突出しないように取り付け、積載する荷物Ｗの妨げにならないようにする。
【００４１】
また、積載部２の前側部分には、補強用の金属製のバンパー（図示せず）が取り付けられていることがある。そのため、このバンパーを利用して、手押し台車用カバー１０を磁性体（磁石、電磁石、磁性を帯びた材料）で着脱可能に取り付ける。このとき、図５（Ｂ）に示すように、取付部材１５を、スライド部１５ａ（スライド部１４ａと同等のもの）と、その下側に磁性体１５ｂとで構成し、この磁性体１５ｂをバンパーに吸着させることで、手押し台車用カバー１０を台車1に取り付ける。
【００４２】
このように積載部２の前側に取り付けるようにしても、積載部２の上に載せる荷物の上側を確実にカバーすることができ、かつ、必要に応じて手押し台車用カバー１０を手押し台車１から容易に着脱することができる。
【符号の説明】
【００４３】
１  手押し台車
２  積載部
３  把持部
３ａ  水平部
４  キャスター
１０  手押し台車用カバー（カバー）
１０ａ  スライド溝
１１  ロールシート
１２ａ  固定紐
１２ｂ  フック部材
１４、１５  取付部材
１４ａ、１５ａ  スライド部
１４ｂ  嵌合突部
１５ｂ  磁性体
２０  支柱
２１  下側半円部材
２２  上側半円部材
２２ａ  雌ねじ
２３  垂直部材
２３ａ  雄ねじ
２３ｂ  ざぐり穴
２４  皿ネジ
Ｔ  間隔
Ｗ、Ｗ１、Ｗ２  荷物
【図１】
0003222725.tif 000003
【図２】
0003222725.tif 000004
【図３】
0003222725.tif 000005
【図４】
0003222725.tif 000006
【図５】
0003222725.tif 000007
【図６】
0003222725.tif 000008
【図７】
0003222725.tif 000009
【図８】
0003222725.tif 000010
【手続補正書】
【提出日】令和1年6月23日(2019.6.23)
【手続補正１】
【補正対象書類名】実用新案登録請求の範囲
【補正対象項目名】全文
【補正方法】変更
【補正の内容】
【実用新案登録請求の範囲】
【請求項１】
荷物を載せる積載部と、前記積載部よりも上側に延在する把持部とを有する手押し台車に取り付けられ、前記荷物の上側を覆うための手押し台車用カバーであって、
前記荷物の上側を覆うためのロールシートを巻いた状態で収容し、前記把持部の上側に間隔を空けて取り付けたことを特徴とする手押し台車用カバー。
【請求項２】
前記ロールシートを下側に向けて引き出すように構成したことを特徴とする請求項１に記載の手押し台車用カバー。
【請求項３】
前記ロールシートの先端部分に、幅方向に延びる固定紐を設け、前記固定紐の両端部にフック部材をそれぞれ取り付けたことを特徴とする請求項１または請求項２に記載の手押し台車用カバー。
【請求項４】
前記把持部の上側に取り付ける代わりに、前記積載部の前側に着脱可能に取り付けたことを特徴とする請求項１に記載の手押し台車用カバー。
【請求項５】
前記積載部の前端部に金属製のバンパーを取り付ける一方、前記手押し台車用カバーに前記バンパーに吸着する磁性体を設けたことを特徴とする請求項４に記載の手押し台車用カバー。
【手続補正２】
【補正対象書類名】明細書
【補正対象項目名】００１３
【補正方法】変更
【補正の内容】
【００１３】
一方、前記把持部の上側に取り付ける代わりに、前記積載部の前側に着脱可能に取り付けることもできる。